(57)【特許請求の範囲】
【請求項１】
手術工程と、回収工程と、洗浄工程と、組立工程と、滅菌工程と、保管工程とから構成される手術サイクルにおいて、複数の手術器具を備えた手術器具セットの変更を管理する手術器具セット管理システムであって、
サーバーと、
前記サーバーと通信可能であり、表示画面を有する複数の携帯端末と、
を備え、
前記サーバーは、
複数の手術器具を備える手術器具セットの情報を記憶する記憶部と、
前記手術器具セットの情報を送受信する第１送受信部と、
前記手術器具セットの情報を更新する更新部と、
作業者の情報を取得する作業者情報取得部と、
作業者により前記手術器具セットの情報の変更が入力されると、変更を入力した作業者の情報を記録する変更記録部と、を備え、
前記携帯端末は、
前記サーバーとの間で前記手術器具セットの情報を送受信する第２送受信部と、
前記受信された前記手術器具セットの情報を前記表示画面に表示させる第１表示部と、
前記手術器具セットの情報の変更が作業者によって入力される入力部と、
前記変更後の前記手術器具セットの情報を前記表示画面に表示させる第２表示部と、
を備え、
前記第２送受信部は、前記変更後の前記手術器具セットの情報を前記サーバーに送信し、
前記更新部は、前記第２送受信部から前記変更後の前記手術器具セットの情報が前記サーバーに送信されると、前記手術器具セットの情報を更新するように構成され、
前記第１送受信部は、前記手術器具セットの情報が更新された場合、前記更新後の前記手術器具セットの情報を前記携帯端末に送信するように構成されている、手術器具セット管理システム。
【請求項２】
前記手術器具セットの前記各手術器具には、前記手術器具セットの情報が関連付けられた識別手段がそれぞれ設けられ、
前記識別手段の情報を取得し、前記識別手段の情報を前記サーバーに送信する情報取得装置を備え、
前記サーバーの前記第１送受信部は、前記情報取得装置から送信された前記識別手段の情報を受信すると、前記識別手段に関連付けられた前記手術器具セットの情報を前記携帯端末に送信する、請求項１に記載の手術器具セット管理システム。
【請求項３】
前記入力部は、前記表示画面に配置されたタッチパネルである、請求項１または２に記載の手術器具セット管理システム。
【請求項４】
手術工程と、回収工程と、洗浄工程と、組立工程と、滅菌工程と、保管工程とから構成される手術サイクルにおいて、複数の手術器具を備えた手術器具セットの変更を管理する手術器具セット管理システムであって、
サーバーと、
前記サーバーと通信可能であり、表示画面を有する複数の携帯端末と、
を備え、
前記サーバーは、
複数の手術器具を備える手術器具セットの情報を記憶する記憶部と、
前記手術器具セットの情報を送受信する第１送受信部と、
前記手術器具セットの情報を更新する更新部と、を備え、
前記携帯端末は、
前記サーバーとの間で前記手術器具セットの情報を送受信する第２送受信部と、
前記受信された前記手術器具セットの情報を前記表示画面に表示させる第１表示部と、
前記手術器具セットの情報の変更が作業者によって入力される入力部と、
前記変更後の前記手術器具セットの情報を前記表示画面に表示させる第２表示部と、
を備え、
前記第２送受信部は、前記変更後の前記手術器具セットの情報を前記サーバーに送信し、
前記更新部は、前記第２送受信部から前記変更後の前記手術器具セットの情報が前記サーバーに送信されると、前記手術器具セットの情報を更新するように構成され、
前記第１送受信部は、前記手術器具セットの情報が更新された場合、前記更新後の前記手術器具セットの情報を前記携帯端末に送信するように構成され、
前記手術器具セットの情報には、前記手術器具セットを表示する写真が含まれ、
作業者は、前記入力部によって前記写真上に前記手術器具セットの情報の変更を入力する、手術器具セット管理システム。
【発明の詳細な説明】
【技術分野】
【０００１】
本発明は、手術器具セット管理システムに関する。
【背景技術】
【０００２】
従来から、病院において手術が行われるとき、複数の手術器具を１セットとした手術器具セットを複数用いている。手術器具セットは、病院内において、次に示す各工程からなる循環サイクルをセット単位で循環している。
【０００３】
即ち、循環サイクルは、保管された手術器具セットを用いて患者の手術を行う手術工程と、手術で用いた手術器具セットを回収する回収工程と、回収された手術器具セットを洗浄する洗浄工程と、洗浄された手術器具セットを組み立てる組立工程と、組み立てられた手術器具セットを滅菌する滅菌工程と、滅菌された手術器具セットを保管する保管工程とから構成されている。手術器具セットを組み立てるとは、洗浄工程においてバラバラに洗浄された各手術器具を所定の手術器具セットに戻すことである。
【０００４】
ここで、手術器具セットは、手術内容や手術器具セットを用いる医師によって異なり、その種類は非常に多い。さらには、手術器具セットに含まれる手術器具の数も多種多様である。
【発明の概要】
【発明が解決しようとする課題】
【０００５】
ところで、病院においては通常の手術に加えて緊急の手術も行われる。このため、上記循環サイクルの各工程の作業を速く完了することができれば、緊急手術にもより速く対応することができる。
【０００６】
ここで、上記各工程において手術器具セットに含まれる手術器具が破損した場合には該手術器具を修理に出したり新たな手術器具を注文したりすることがある。また、他の手術器具セットに手術器具を貸し出すことがある。即ち、手術器具セットにおいて、手術器具の一部が不足することがある。手術器具セットに手術器具の不足等の変更がある場合であっても、手術内容によっては、問題なく手術をすることができることがある。このため、病院では手術器具セットに不足等の変更がある場合であっても、手術に備えて手術器具セットを保管する保管工程まで作業を完了させておく必要がある。このとき、手術器具セットの内容については常に最新の情報に更新された状態で保管されていることが要請される。このため、各工程の作業者は手術器具セットの変更を正確かつ迅速に知ることができれば、各工程における作業時間が短縮され、循環サイクルの１サイクルに要する時間が短縮されると考えられる。
【０００７】
本発明はかかる点に鑑みてなされたものであり、その目的は、手術器具セットの変更の管理を簡単に行うと共に、関係者に正確かつ迅速に変更内容を伝達することができる手術器具セット管理システムを提供することである。
【課題を解決するための手段】
【０００８】
本発明に係る手術器具セット管理システムは、手術工程と、回収工程と、洗浄工程と、組立工程と、滅菌工程と、保管工程とから構成される手術サイクルにおいて、複数の手術器具を備えた手術器具セットの変更を管理する手術器具セット管理システムであって、サーバーと、前記サーバーと通信可能であり、表示画面を有する複数の携帯端末と、を備え、前記サーバーは、複数の手術器具を備える手術器具セットの情報を記憶する記憶部と、前記手術器具セットの情報を送受信する第１送受信部と、前記手術器具セットの情報を更新する更新部と、を備え、前記携帯端末は、前記サーバーとの間で前記手術器具セットの情報を送受信する第２送受信部と、前記受信された前記手術器具セットの情報を前記表示画面に表示させる第１表示部と、前記手術器具セットの情報の変更が作業者によって入力される入力部と、前記変更後の前記手術器具セットの情報を前記表示画面に表示させる第２表示部と、を備え、前記第２送受信部は、前記変更後の前記手術器具セットの情報を前記サーバーに送信し、前記更新部は、前記第２送受信部から前記変更後の前記手術器具セットの情報が前記サーバーに送信されると、前記手術器具セットの情報を更新するように構成され、前記第１送受信部は、前記手術器具セットの情報が更新された場合、前記更新後の前記手術器具セットの情報を前記携帯端末に送信するように構成されている。
【０００９】
本発明の手術器具セット管理システムによると、作業者が入力部を介して手術器具セットの情報の変更をした場合、携帯端末の第２送受信部が変更後の手術器具セットの情報をサーバーに送信する。これにより、サーバーの更新部において、手術器具セットの情報が最新のものに更新される。そして、サーバーの第１送受信部は、手術器具セットの情報が更新された場合、更新後の手術器具セットの情報を携帯端末に送信する。このため、携帯端末を使用する作業者が手術器具セットの情報を確認するときには、常に最新の変更が反映された手術器具セットの情報を取得することができる。このように、いずれかの携帯端末において手術器具セットの情報が変更されると、変更された情報がサーバーに送られ、サーバーにおいて手術器具セットの情報の更新が行われるので、手術器具セットの情報の管理が容易である。また、作業者が携帯端末を用いて特定の手術器具セットの情報を確認するときには、最新の情報に更新されているため、作業者は変更内容を正確かつ迅速に知ることができる。
【発明の効果】
【００１０】
本発明によれば、手術器具セットの変更の管理を簡単に行うと共に、関係者に正確かつ迅速に変更内容を伝達することができる手術器具セット管理システムを提供することができる。
【図面の簡単な説明】
【００１１】
【図１】一実施形態に係る手術器具セット管理システムを示す概略図である。
【図２】一実施形態に係る手術器具セット管理システムが用いられる循環サイクルの説明図である。
【図３】一実施形態に係るサーバーの構成を示すブロック図である。
【図４】一実施形態に係る携帯端末の模式図である。
【図５】一実施形態に係る携帯端末の構成を示すブロック図である。
【図６】一実施形態に係る表示画面に検索画面が表示された状態を示す説明図である。
【図７】一実施形態に係る表示画面に一覧画面が表示された状態を示す説明図である。
【図８】一実施形態に係る表示画面に編集ツールが表示された状態を示す説明図である。
【図９】一実施形態に係る表示画面にメモ書きが表示された状態を示す説明図である。
【発明を実施するための形態】
【００１２】
以下、図面を参照しながら、本発明の一実施形態に係る手術器具セット管理システムについて説明する。手術器具セット管理システムは、複数の手術器具を備えた手術器具セットの変更を管理する。図１に示すように、手術器具セット管理システム１０は、複数の携帯端末２０と、サーバー４０と、ネットワーク６０とを備えている。サーバー４０は、ネットワーク６０を介して携帯端末２０にサービスを提供するコンピュータである。サーバー４０は、ネットワーク６０を介して複数の携帯端末２０と通信可能に構成されている。サーバー４０と携帯端末２０とは無線により通信可能に構成されている。携帯端末２０としては、例えば、ノート型のパーソナルコンピュータ、タブレット端末およびスマートフォン等が挙げられる。ネットワーク６０としては、特に限定されないが、インターネットやローカルエリアネットワーク（ＬＡＮ）等が挙げられる。
【００１３】
図２は、手術器具セット管理システム１０が用いられる循環サイクル７０の説明図である。図２に示すように、循環サイクル７０は、手術工程７１と、回収工程７２と、洗浄工程７３と、組立工程７４と、滅菌工程７５と、保管工程７６とから構成されている。循環サイクル７０では、手術工程７１、回収工程７２、洗浄工程７３、組立工程７４、滅菌工程７５、保管工程７６、手術工程７１の順に手術器具セット８０（図１参照）が循環する。手術工程７１では、保管された手術器具セット８０を用いて患者の手術を行う。回収工程７２では、手術で用いた手術器具セット８０を回収する。洗浄工程７３では、回収された手術器具セット８０を洗浄する。組立工程７４では、洗浄された手術器具セット８０を組み立てる。組立工程７４では、洗浄工程７３においてバラバラに洗浄された各手術器具８２（図１参照）を所定の手術器具セット８０に戻す。滅菌工程７５では、組み立てられた手術器具セット８０を滅菌する。保管工程７６では、滅菌された手術器具セット８０を所定の保管スペースに保管する。ここで、循環サイクル７０の各工程において、手術器具セット８０のうち手術器具８２の一部が不足することがある。各診療科における手術内容によっては、手術器具セット８０の一部に不足があっても問題なく手術をすることができる。このため、病院では手術器具セット８０に不足等の変更がある場合であっても、手術工程７１での手術に備えて保管工程７６まで作業を完了させている。手術器具セット管理システム１０は、上記循環サイクル７０を構成する６つの工程の少なくとも１つの工程で用いられる。
【００１４】
図１に示すように、手術器具セット８０は、複数の手術器具８２を含む。手術器具セット８０は、手術の内容や使用する医者によって異なり、多種多様である。ここで、手術器具セット８０に含まれる手術器具８２としては、例えば、鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等が挙げられる。なお、上記例は手術器具８２の一部を列挙したものに過ぎず、手術器具８２は上記例に限定されるものではない。手術器具セット８０の各手術器具８２には、識別手段８４が設けられている。識別手段８４には、その手術器具８２を備える手術器具セット８０の情報が関連付けられている。即ち、一つの手術器具セット８０において、各手術器具８２の識別手段８４に関連付けられた手術器具セット８０の情報は相互に同じである。
【００１５】
図１に示すように、手術器具セット管理システム１０は、情報取得装置８５を備えている。情報取得装置８５は、手術器具８２の識別手段８４の情報を取得する。情報取得装置８５は、識別手段８４の情報をサーバー４０に送信する。情報取得装置８５としては、例えば、ＩＣタグリーダが挙げられ、識別手段８４としては、例えば、ＩＣタグが挙げられる。ＩＣタグリーダはＩＣタグと無線通信を行う。
【００１６】
図３に示すように、サーバー４０は、記憶部４２と、第１送受信部４４と、更新部４６と、作業者情報取得部４８と、変更記録部５０と、を備えている。
【００１７】
記憶部４２は、複数の手術器具８２（図１参照）を備える手術器具セット８０（図１参照）の情報を記憶する。手術器具セット８０の情報は、記憶部４２に予め記憶されている。記憶部４２は、更新部４６によって更新された手術器具セット８０の情報を記憶する。記憶部４２は、例えばハードディスクやメモリ等により実現可能である。手術器具セット８０の情報には、例えば、手術器具セット８０を表示する写真８０Ａ（図４参照）と、手術器具セット８０の基本情報と、手術器具セット８０に関するメモ書きとが含まれる。手術器具セット８０の基本情報には、例えば、手術器具セット８０がどの診療科に属するかを示す情報、手術器具セット８０の名称を示す情報、手術器具セット８０に含まれる手術器具８２の数を示す情報、手術器具セット８０を収容する容器を示す情報、および、手術器具セット８０の滅菌方法を示す情報等が含まれる。
【００１８】
第１送受信部４４は、手術器具セット８０の情報を送受信する。より詳細には、第１送受信部４４は、手術器具セット８０の情報を各携帯端末２０に送信する。第１送受信部４４は、各携帯端末２０から送信される変更後の手術器具セット８０の情報を受信する。第１送受信部４４は、更新部４６によって手術器具セット８０の情報が更新された場合、更新後の手術器具セット８０の情報を携帯端末２０に送信するように構成されている。また、第１送受信部４４は、情報取得装置８５（図１参照）から送信された識別手段８４の情報を受信すると、識別手段８４に関連付けられた手術器具セット８０の情報を携帯端末２０に送信する。このとき、記憶部４２に記憶された更新後の手術器具セット８０の情報が携帯端末２０に送信される。
【００１９】
更新部４６は、記憶部４２に記憶されている手術器具セット８０の情報を更新する。より詳細には、各携帯端末２０の後述する第２送受信部２４（図５参照）から変更後の手術器具セット８０の情報がサーバー４０に送信されると、即ち、第１送受信部４４が第２送受信部２４から送信された変更後の手術器具セット８０の情報を受信すると、更新部４６は、記憶部４２に記憶されている手術器具セット８０の情報を変更後の手術器具セット８０の情報に更新するように構成されている。
【００２０】
作業者情報取得部４８は、循環サイクル７０（図２参照）の各工程を実施する作業者の情報を取得する。ここで、本実施形態に係る手術器具セット管理システム１０を用いるには、所定の情報を登録したアカウントを取得する必要がある。アカウントには個人の情報等が関連付けられており、アカウントによって作業者を特定することができる。各アカウントには、ＩＤとパスワードが割り当てられる。作業者は、ＩＤとパスワードとを入力することで、当該アカウントにて手術器具セット管理システム１０にログインすることができる。作業者が手術器具セット管理システム１０にログインすると、作業者情報取得部４８は、作業者の情報（例えばアカウント名やログイン日時等）を取得する。取得された作業者の情報は、記憶部４２に記憶される。
【００２１】
変更記録部５０は、作業者により手術器具セット８０の情報の変更が入力されると、変更を入力した作業者の情報を記録する。変更記録部５０は、作業者の情報として、例えば、作業者のアカウント名や変更日時等を記録する。変更記録部５０は、手術器具セット８０の情報と変更を入力した作業者の情報とを関連付ける。記録された作業者の情報は、記憶部４２に記憶される。変更記録部５０は、例えば、第１送受信部４４が第２送受信部２４から送信された変更後の手術器具セット８０の情報を受信したときに、作業者の情報を記録する。
【００２２】
図４および図５に示すように、携帯端末２０は、表示画面２２と、第２送受信部２４と、第１表示部２６と、入力部２８と、第２表示部３０とを備えている。図４に示すように、表示画面２２には、手術器具セット８０の情報が表示される。
【００２３】
第２送受信部２４は、サーバー４０との間で手術器具セット８０の情報を送受信する。より詳細には、第２送受信部２４は、第１送受信部４４から送信される手術器具セット８０の情報を受信する。第２送受信部２４は、変更後の手術器具セット８０の情報をサーバー４０に送信する。第２送受信部２４は、入力部２８によって手術器具セット８０の情報が変更された場合、変更後の手術器具セット８０の情報を第１送受信部４４に送信する。
【００２４】
第１表示部２６は、検索画面１２（図６参照）および一覧画面１８（図７参照）を表示画面２２に表示させる。図６に示すように、携帯端末２０の表示画面２２には、検索画面１２が表示される。検索画面１２には、各診療科を選択するための仮想的な複数のボタン１４と、アカウントのＩＤを入力するＩＤ領域１５とパスワードを入力するパスワード領域１６とが設けられている。図７に示すように、携帯端末２０の表示画面２２には、一覧画面１８が表示される。一覧画面１８には、予め登録された複数の手術器具セット８０の写真８０Ａと、該写真８０Ａを含む手術器具セット８０を選択するためのボタン１９が表示される。ボタン１９が押されると、第１送受信部４４は、該ボタン１９が押された手術器具セット８０の情報を携帯端末２０に送信する。
【００２５】
図４に示すように、第１表示部２６は、情報表示画面２１を表示画面２２に表示させる。情報表示画面２１には、第２送受信部２４によって受信された手術器具セット８０の情報が表示される。情報表示画面２１には、手術器具セット８０の写真８０Ａが表示される第１領域２２Ａと、手術器具セット８０の基本情報が表示される第２領域２２Ｂと、メモ書き欄が表示される第３領域２２Ｃと、入力部２８用の仮想的な各種ボタン２３Ａ、２３Ｂ、２３Ｃが表示される第４領域２２Ｄと、を含む。ここでは、例えば、第４領域２２Ｄに、写真ボタン２３Ａ、項目ボタン２３Ｂ、および、メモボタン２３Ｃが表示される。写真ボタン２３Ａは、手術器具セット８０の写真８０Ａの変更に関する操作が入力されるものであり、写真８０Ａを変更するときに用いるボタンである。項目ボタン２３Ｂは、手術器具セット８０の基本情報の変更に関する操作が入力されるものであり、基本情報を変更するときに用いるボタンである。メモボタン２３Ｃは、手術器具セット８０のメモ書きに関する操作が入力されるものであり、メモ書きをするためのボタンである。
【００２６】
入力部２８を介してメモボタン２３Ｃが操作されると、図８に示すように、第１表示部２６は、情報表示画面２１の第４領域２２Ｄに、手術器具セット８０の情報を編集する際に用いられる各種編集ツールボタンを表示する。ここでは、第１表示部２６は、第４領域２２Ｄに、例えば、入力部２８用の仮想的な色変更ボタン２３Ｄ、図形ボタン２３Ｅ、削除ボタン２３Ｆ、登録ボタン２３Ｇを表示する。色変更ボタン２３Ｄは、メモ書き時の文字や図形の色を変更するときに用いるボタンである。図形ボタン２３Ｅは、メモ書き時の図形を指定するときに用いるボタンである。削除ボタン２３Ｆは、メモ書きを削除するときに用いるボタンである。登録ボタン２３Ｇは、メモ書き時の文字や図形を登録するときに用いるボタンである。
【００２７】
入力部２８は、手術器具セット８０の情報の変更が作業者によって入力される。本実施形態では、入力部２８は、表示画面２２の表面に配置されたタッチパネルである。なお、入力部２８は、マウスやキーボード等であってもよい。本実施形態では、入力部２８を介することで作業者は表示画面２２（即ち、検索画面１２、一覧画面１８および情報表示画面２１。）に表示された各種ボタンを操作することができる。また、入力部２８を介することで表示画面２２の情報表示画面２１に表示された各情報上に手書きのメモを追加することができる。手書きのメモは、例えばタッチペンを用いて追加される。
【００２８】
第２表示部３０は、変更後の手術器具セット８０の情報を情報表示画面２１に表示させる。例えば、図９に示すように、第２表示部３０は、入力部２８によって追加されたメモ書き８０Ｂを情報表示画面２１に表示する。ここで、登録ボタン２３Ｇが操作されると、その内容（即ち変更後の手術器具セット８０の情報）が第２送受信部２４によってサーバー４０に送信される。第１表示部２６および第２表示部３０は、ＣＰＵ（中央演算処理装置）と、ＣＰＵが実行するプログラム等が格納されたＲＯＭ（リードオンリメモリ）およびＲＡＭ（ランダムアクセスメモリ）等により実現可能である。
【００２９】
次に、作業者が手術器具セット管理システム１０を用いて手術器具セット８０の情報を変更する手順について説明する。ここでは、循環サイクル７０の組立工程７４における場合を例にして、手術器具セット８０の情報の変更を説明する。図６に示すように、携帯端末２０の表示画面２２には、検索画面１２が表示されている。まず、作業者は、ＩＤ領域１５にアカウントのＩＤを入力し、パスワード領域１６にパスワードを入力する。これにより、作業者は、手術器具セット管理システム１０にログインすることができる。次いで、作業者は、入力部２８を操作して、検索画面１２の外科を選択するためのボタン１４を押す。これにより、図７に示すように、表示画面２２には、一覧画面１８が表示される。作業者は、入力部２８を操作して、確認したい手術器具セット８０のボタン１９を押す。これにより、サーバー４０の第１送受信部４４から手術器具セット８０の情報が携帯端末２０に送信され、図４に示すように、表示画面２２には、手術器具セット８０の各情報が表示された情報表示画面２１が表示される。ここで、手術器具セット８０の情報を変更する必要がある場合、本実施形態の手術器具セット管理システム１０によると、作業者は、その変更内容を情報表示画面２１上に直接記入することができる。作業者は、入力部２８を操作して、メモボタン２３Ｃを押す。これにより、図９に示すように、作業者はメモ書き８０Ｂを情報表示画面２１に表示された写真８０Ａ上に記入することができる。その後、作業者が登録ボタン２３Ｇを押すことによって、第２送受信部２４は、変更後の手術器具セット８０の情報（即ち手術器具セット８０の情報にメモ書き８０Ｂが追加された情報）をサーバー４０に送信する。これにより、サーバー４０の更新部４６は、記憶部４２に記憶されている手術器具セット８０の情報を変更後の手術器具セット８０の情報に更新する。その後、作業者が上述した手術器具セット８０の情報を閲覧するときには、サーバー４０の第１送受信部４４は、更新後の手術器具セット８０の情報を携帯端末２０に送信するため、作業者は、更新された手術器具セット８０の情報を確認することができる。
【００３０】
以上のように、本実施形態の手術器具セット管理システム１０によると、作業者が入力部２８を介して手術器具セット８０の情報の変更をした場合、携帯端末２０の第２送受信部２４が変更後の手術器具セット８０の情報をサーバー４０に送信する。これにより、サーバー４０の更新部４６において、手術器具セット８０の情報が最新のものに更新される。そして、サーバー４０の第１送受信部４４は、手術器具セット８０の情報が更新された場合、更新後の手術器具セット８０の情報を携帯端末２０に送信する。このため、携帯端末２０を使用する作業者が手術器具セット８０の情報を確認するときには、常に最新の変更が反映された手術器具セット８０の情報を取得することができる。このように、いずれかの携帯端末２０において手術器具セット８０の情報が変更されると、変更された情報がサーバー４０に送られ、サーバー４０において手術器具セット８０の情報の更新が行われるので、手術器具セット８０の情報の管理が容易である。また、作業者が携帯端末２０を用いて特定の手術器具セット８０の情報を確認するときには、最新の情報に更新されているため、作業者は変更内容を正確かつ迅速に知ることができ、連絡漏れを防止することができる。
【００３１】
本実施形態では、サーバー４０の第１送受信部４４は、情報取得装置８５から送信された識別手段８４の情報を受信すると、識別手段８４に関連付けられた手術器具セット８０の情報を携帯端末２０に送信する。このように、手術器具セット８０のいずれか一つの手術器具８２の識別手段８４の情報を取得するだけで、手術器具セット８０に関連付けられた情報が表示画面２２に表示されるため、手術器具セット８０の情報の取得および変更の確認を容易にすることができる。
【００３２】
本実施形態では、図３に示すように、サーバー４０は、作業者の情報を取得する作業者情報取得部４８と、作業者により手術器具セット８０の情報の変更が入力されると、変更を入力した作業者の情報を記録する変更記録部５０と、を備えている。これにより、どの作業者が手術器具セットの情報を変更したかが明確となる。このため、仮に変更内容が不明確であっても、作業者を特定できるため、変更の修正を容易に行うことができる。
【００３３】
本実施形態では、図４に示すように、入力部２８は、表示画面２２に配置されたタッチパネルである。これにより、作業者は表示画面２２に直接触れて手術器具セット８０の情報を容易に変更することができる。
【００３４】
本実施形態では、図６に示すように、手術器具セット８０の情報には、手術器具セット８０を表示する写真８０Ａが含まれ、作業者は、入力部２８によって写真８０Ａ上に手術器具セット８０の情報の変更を入力する。これにより、手術器具セット８０の変更箇所の確認がより容易になる。
【００３５】
上述した実施形態では、サーバー４０に接続された携帯端末２０は４つであったが、これに限定されない。携帯端末２０は、２または３、あるいは５以上であってもよい。
【符号の説明】
【００３６】
１０  手術器具セット管理システム
２０  携帯端末
２２  表示画面
２４  第２送受信部
２６  第１表示部
２８  入力部
３０  第２表示部
４０  サーバー
４２  記憶部
４４  第１送受信部
４６  更新部
７０  循環サイクル
８０  手術器具セット
８０Ａ  写真
８０Ｂ  メモ書き
８２  手術器具
【図１】
0006767126.tif 000002
【図２】
0006767126.tif 000003
【図３】
0006767126.tif 000004
【図４】
0006767126.tif 000005
【図５】
0006767126.tif 000006
【図６】
0006767126.tif 000007
【図７】
0006767126.tif 000008
【図８】
0006767126.tif 000009
【図９】
0006767126.tif 000010